(57)【特許請求の範囲】
【請求項１】
雨水が流入する貯水井に設置された複数の雨水ポンプを制御するための雨水ポンプ運転制御システムにおいて、
降雨量を求める降雨量検出手段と、
降雨強度を求める降雨強度検出手段と、
過去の降雨量および過去の降雨強度に対応した過去の雨水ポンプ必要運転台数データと、降雨量検出手段からの降雨量と、降雨強度検出手段からの降雨強度と、に基づいて雨水ポンプの必要運転台数を決定する雨水ポンプ必要運転台数決定手段と、
雨水ポンプ必要運転台数決定手段による決定結果を通知する運転台数通知手段と、を備え、
過去の雨水ポンプ必要運転台数データは、過去の降雨量および過去の降雨強度の最大値に対応する雨水ポンプの必要運転台数についての運転必要台数基準を有し、
雨水ポンプ必要運転台数決定手段は、降雨量検出手段からの検出対象の降雨の降雨量および降雨強度検出手段からの検出対象の降雨の降雨強度の最大値に対応する降雨軌跡を求め、運転必要台数基準と降雨軌跡とを照らし合わせることにより雨水ポンプの必要運転台数を決定することを特徴とする雨水ポンプ運転制御システム。
【請求項２】
降雨量検出手段は、地上雨量装置からなり、降雨強度検出手段は、地上雨量装置により検出された所定時間の降雨量を単位時間当たりの降雨量に換算する降雨強度換算装置を有することを特徴とする請求項１に記載の雨水ポンプ運転制御システム。
【請求項３】
降雨量検出手段は、一定時間先の降雨量を予測する降雨量予測手段からなり、降雨強度検出手段は、降雨量予測手段により検出された所定時間の降雨量を単位時間当たりの降雨量に換算する降雨強度換算装置を有することを特徴とする請求項１に記載の雨水ポンプ運転制御システム。
【請求項４】
降雨量予測手段は、雨量レーダおよび雨量レーダデータ処理装置を有することを特徴とする請求項３記載の雨水ポンプ運転制御システム。
【請求項５】
降雨量予測手段は、気象情報を含むことを特徴とする請求項３記載の雨水ポンプ運転制御システム。
【請求項６】
雨水が流入する貯水井に設置された複数の雨水ポンプを制御するための雨水ポンプ運転制御システムにおいて、
降雨量を求める降雨量検出手段と、
降雨強度を求める降雨強度検出手段と、
過去の降雨量および過去の降雨強度に対応した過去の雨水ポンプ必要運転台数データと、降雨量検出手段からの降雨量と、降雨強度検出手段からの降雨強度と、に基づいて雨水ポンプの必要運転台数を決定する雨水ポンプ必要運転台数決定手段と、
雨水ポンプ必要運転台数決定手段による決定結果を通知する運転台数通知手段と、
検出対象の降雨の終了を判定するとともに、終了した検出対象の降雨についての降雨量と、降雨強度と、雨水ポンプの必要運転台数とを有する降雨データを保存する運転実績保存手段と、を備えたことを特徴とする雨水ポンプ運転制御システム。
【請求項７】
運転実績保存手段に保存される降雨データは、運転必要台数基準に反映されることを特徴とする請求項６記載の雨水ポンプ運転制御システム。
【請求項８】
運転実績保存手段に保存された降雨データを履歴再生することができる運転実績再生手段をさらに備えたことを特徴とする請求項６または７のいずれかに記載の雨水ポンプ運転制御システム。
【請求項９】
運転台数通知手段は、検出対象の降雨に対する雨水ポンプの必要運転台数を通知するガイダンス通知機能を有することを特徴とする請求項１乃至８のいずれかに記載の雨水ポンプ運転制御システム。
【請求項１０】
運転台数通知手段は、検出対象の降雨に対する雨水ポンプの必要運転台数を通知する音声通知機能を有することを特徴とする請求項１乃至９のいずれかに記載の雨水ポンプ運転制御システム。
【請求項１１】
雨水ポンプ必要運転台数決定手段により決定された雨水ポンプの必要運転台数に応じて複数の雨水ポンプを運転制御する雨水ポンプ制御装置をさらに備えたことを特徴とする請求項１乃至１０のいずれかに記載の雨水ポンプ運転制御システム。
【発明の詳細な説明】
【０００１】
【発明の属する技術分野】
本発明は、貯水井に流入する雨水を河川等に排出する複数の雨水ポンプの運転を制御する雨水ポンプ運転制御システムに関する。
【０００２】
【従来の技術】
降雨の際に貯水井に流入する雨水は、雨水ポンプにより河川等に排出される。このとき、貯水井から効率的な雨水の排出を行うために、雨水ポンプの運転を制御する雨水ポンプ運転制御システムが用いられる。
【０００３】
従来より、雨水ポンプ運転制御システムとして、雨水ポンプの過去の運転実績のうち検出対象の降雨状態と類似する過去の降雨状態における運転実績を参考にするシステムが知られている。
【０００４】
このとき、検出対象の降雨状態と過去の降雨状態との比較は、雨量レーダ、管渠内水位計、地上雨量装置等を用いた貯水井への流入量予測や、貯水井内に貯留される雨水の貯水量予測に基づいて行われるのが一般的である。
【０００５】
【発明が解決しようとする課題】
上述のように、雨水の貯水井への流入量予測や貯水井内の貯水量予測に基づいて、過去の運転実績を参考にする雨水ポンプ運転制御システムが一般的に用いられている。
【０００６】
雨水ポンプ運転制御システムは、過去の運転実績を参考にすることにより、信頼性の高い雨水ポンプの運転制御を行うことができる。
【０００７】
しかしながら、雨水の貯水井への流入量予測および貯水井内の貯水量予測は、複雑な演算や他の降雨情報の計測を伴うことがあり、雨水ポンプ運転制御システムの簡素化の弊害となっている。
【０００８】
本発明はこのような点を考慮してなされたものであり、信頼性の高い雨水ポンプの運転制御を確保するとともに、システムの簡素化を図ることができる雨水ポンプ運転制御システムを提供することを目的とする。
【０００９】
【課題を解決するための手段】
本発明は、雨水が流入する貯水井に設置された複数の雨水ポンプを制御するための雨水ポンプ運転制御システムにおいて、降雨量を求める降雨量検出手段と、降雨強度を求める降雨強度検出手段と、過去の降雨量および過去の降雨強度に対応した過去の雨水ポンプ必要運転台数データと、降雨量検出手段からの降雨量と、降雨強度検出手段からの降雨強度と、に基づいて雨水ポンプの必要運転台数を決定する雨水ポンプ必要運転台数決定手段と、雨水ポンプ必要運転台数決定手段による決定結果を通知する運転台数通知手段と、を備え、過去の雨水ポンプ必要運転台数データは、過去の降雨量および過去の降雨強度の最大値に対応する雨水ポンプの必要運転台数についての運転必要台数基準を有し、雨水ポンプ必要運転台数決定手段は、降雨量検出手段からの検出対象の降雨の降雨量および降雨強度検出手段からの検出対象の降雨の降雨強度の最大値に対応する降雨軌跡を求め、運転必要台数基準と降雨軌跡とを照らし合わせることにより雨水ポンプの必要運転台数を決定することを特徴とする雨水ポンプ運転制御システムである。
【００１０】
本発明によれば、過去の雨水ポンプの必要運転台数データと、降雨量検出手段により求められる検出対象の降雨量と、降雨強度検出手段により求められる検出対象の降雨強度とに基づいて雨水ポンプの必要運転台数を決定するとともに、決定した雨水ポンプの必要運転台数を通知することができる。
【００１２】
また、好ましくは、降雨量検出手段は、地上雨量装置からなり、降雨強度検出手段は、地上雨量装置により検出された所定時間の降雨量を単位時間当たりの降雨量に換算する降雨強度換算装置を有する。
【００１３】
また、好ましくは、降雨量検出手段は、一定時間先の降雨量を予測する降雨量予測手段からなり、降雨強度検出手段は、降雨量予測手段により検出された所定時間の降雨量を単位時間当たりの降雨量に換算する降雨強度換算装置を有する。
【００１４】
また、好ましくは、降雨量予測手段は、雨量レーダおよび雨量レーダデータ処理装置を有する。
【００１５】
また、好ましくは、降雨量予測手段は、気象情報を含む。
【００１６】
また、好ましくは、雨水が流入する貯水井に設置された複数の雨水ポンプを制御するための雨水ポンプ運転制御システムにおいて、降雨量を求める降雨量検出手段と、降雨強度を求める降雨強度検出手段と、過去の降雨量および過去の降雨強度に対応した過去の雨水ポンプ必要運転台数データと、降雨量検出手段からの降雨量と、降雨強度検出手段からの降雨強度と、に基づいて雨水ポンプの必要運転台数を決定する雨水ポンプ必要運転台数決定手段と、雨水ポンプ必要運転台数決定手段による決定結果を通知する運転台数通知手段と、検出対象の降雨の終了を判定するとともに、終了した検出対象の降雨についての降雨量と、降雨強度と、雨水ポンプの必要運転台数とを有する降雨データを保存する運転実績保存手段と、を備えたことを特徴とする雨水ポンプ運転制御システムである。
【００１７】
また、好ましくは、運転実績保存手段に保存される降雨データは、運転必要台数基準に反映される。
【００１８】
また、好ましくは、運転実績保存手段に保存された降雨データを履歴再生することができる運転実績再生手段をさらに備えている。
【００１９】
また、好ましくは、運転台数通知手段は、検出対象の降雨に対する雨水ポンプの必要運転台数を通知するガイダンス通知機能を有する。
【００２０】
また、好ましくは、運転台数通知手段は、検出対象の降雨に対する雨水ポンプの必要運転台数を通知する音声通知機能を有する。
【００２１】
また、好ましくは、雨水ポンプ必要運転台数決定手段により決定された雨水ポンプの必要運転台数に応じて複数の雨水ポンプを運転制御する雨水ポンプ制御装置をさらに備えている。
【００２２】
【発明の実施の形態】
以下、図面を参照して本発明の実施の形態について説明する。
【００２３】
図１乃至図５は、本発明による雨水ポンプ運転制御システムの一実施の形態を示す図である。このうち、図１は雨水ポンプ運転制御システムの構成図であり、図２は雨水ポンプ運転制御システムの機能ブロック図であり、図３は降雨量および降雨強度の最大値に対応する雨水ポンプの必要運転台数についての運転必要台数基準を示すグラフであり、図４は雨水ポンプの必要運転台数の決定方法および必要運転台数の決定結果の通知方法を示す概略フローチャートであり、図５は検出対象の降雨の降雨データを運転必要台数基準へ反映させる反映方法を示す概略フローチャートである。
【００２４】
図１に示すように、雨水１０は、流入幹線１１および流入渠１２を介して貯水井１へ流入する。貯水井１内には複数の雨水ポンプ２が設置され、貯水井１の水を複数の排出管１３を介して河川等へ排出するようになっている。排出管１３には、貯水井１の水の排出量を調整する吐出弁３が取り付けられている。また、流入ゲート１４が設けられ、この流入ゲート１４は、流入幹線１１および流入渠１２から貯水井１へ流入する雨水１０の流入量を調整する。
【００２５】
雨水ポンプ運転制御システムは、地上に設置された降雨量を検出する地上雨量装置４と、後述するプロセスコントローラ５とを備えている。また、地上雨量装置４からの降雨量信号２１と、流入ゲート１４からの流入ゲート運用状況信号２２と、雨水ポンプ２からの雨水ポンプ運転状況信号２３と、吐出弁３からの吐出弁開度信号２４は、プロセスコントローラ５（雨水ポンプ制御装置、降雨強度換算装置）へ送られる。このプロセスコントローラ５には、伝送路７を介して運転支援装置６が接続されている。
【００２６】
運転支援装置６は、伝送路７を介してプロセスコントローラ５に雨水排出制御信号２７を送り、プロセスコントローラ５は、雨水排出制御信号２７に基づいて雨水ポンプ２にポンプ制御信号２５を送るとともに、吐出弁３に開度制御信号２６を送る。
【００２７】
また、図２に示すように、運転支援装置６は、検出対象の降雨についての降雨軌跡１７を描く降雨軌跡作成機能３１と、検出対象の降雨に対する雨水ポンプ２の必要運転台数を決定する運転必要台数算定機能３２（雨水ポンプ必要運転台数決定手段）と、検出対象の降雨に対する雨水ポンプの必要運転台数を通知するガイダンス通知機能３３および音声通知機能３４と、雨水ポンプ２の運転および吐出弁３の開度を制御する雨水排出制御信号２７をプロセスコントローラ５へ送る雨水ポンプ制御指令出力機能３５と、検出対象の降雨における後述する降雨データを保存する運転実績保存機能３６（運転実績保存手段）と、運転実績保存機能に保存された降雨データを履歴再生する実績再生機能３７（運転実績再生手段）と、過去の降雨の降雨データに基づいて作成された運転必要台数基準３８とを有している。
【００２８】
次にこのような構成からなる本実施の形態の作用について説明する。
【００２９】
降雨により発生した雨水１０は流入幹線１１に流入し、流入幹線１１に流入した雨水１０は、流入渠１２を介して貯水井１に流入する。なお、貯水井１への雨水１０の流入量は、流入ゲート１４により調整される。
【００３０】
貯水井１に流入した雨水１０は雨水ポンプ２により河川等へ排出されるが、このとき、雨水１０を貯水井１から河川等へ効率的に排出するために、雨水ポンプ運転制御システムにより雨水ポンプ２の運転を制御している。
【００３１】
以下、雨水ポンプ運転制御システムによる雨水ポンプ２の運転制御の概略について説明する。
【００３２】
まず検出対象の降雨が始まると、地上雨量装置４により検出対象の降雨の降雨量が計測され、地上雨量装置４からプロセスコントローラ５へ降雨量信号２１が送られる。また、流入ゲート１４からプロセスコントローラ５へ貯水井１への雨水１０の流入量を知らせる流入ゲート運用状況信号２２が送られ、雨水ポンプ２からプロセスコントローラ５へ雨水ポンプ２の運転状況を知らせる雨水ポンプ運転状況信号２３が送られ、吐出弁３からプロセスコントローラ５へ吐出弁３の開度を知らせる吐出弁開度信号２４が送られる。
【００３３】
プロセスコントローラ５では、降雨量信号２１に基づいて検出対象の降雨の所定時間の降雨量を単位時間当たりの降雨量に換算することにより、検出対象の降雨の降雨強度の最大値が求められる。
【００３４】
プロセスコントローラ５へ送られた各信号は、プロセスコントローラ５から伝送路７を介して運転支援装置６へ送られる。
【００３５】
プロセスコントローラ５から各信号が送られた運転支援装置６は、後述する運転支援装置６の各種機能により検出対象の降雨に対する雨水ポンプ２の必要運転台数および吐出弁３の開度を決定する。また、運転支援装置６は、この決定結果を運転員等に通知するとともに雨水排出制御信号２７を伝送路７を介してプロセスコントローラ５に送る。さらに、運転支援装置６は、検出対象の降雨に関する降雨量、降雨強度、流入ゲート１４を介して貯水井へ流入する雨水１０の流入量、雨水ポンプ２の必要運転台数等の運転状況、および吐出弁３の開度からなる降雨データを保存するとともに、この検出対象の降雨の降雨データにより運転必要台数基準３８を改訂する。
【００３６】
運転支援装置６から雨水排出制御信号２７が送られたプロセスコントローラ５は、雨水排出制御信号２７に基づいて、雨水ポンプ２にポンプ制御信号２５を送るとともに、吐出弁３に開度制御信号２６を送る。
【００３７】
このようにして、プロセスコントローラ５からのポンプ制御信号２５に基づいて運転支援装置６において決定された必要運転台数の雨水ポンプ２が運転され、また、プロセスコントローラ５からの開度制御信号２６に基づいて運転支援装置６において決定された吐出弁３の開度が確保される。
【００３８】
このように、雨水ポンプ２の運転が制御され、吐出弁３の開度が確保されることにより、貯水井１から河川等への効率的な雨水１０の排出が行われる。
【００３９】
次に、図２乃至図４により、運転支援装置６の各種機能による検出対象の降雨に対する雨水ポンプ２の必要運転台数および吐出弁３の開度の決定、雨水ポンプ２の必要運転台数および吐出弁３の開度の決定結果の運転員等への通知、プロセスコントローラ５への雨水排出制御信号２７の伝送、降雨データの保存、および運転必要台数基準３８の改訂について詳述する。
【００４０】
図２乃至図４に示すように、検出対象の降雨に対する雨水ポンプ２の必要運転台数は、運転支援装置６の降雨軌跡作成機能３１および運転支援装置６の運転必要台数基準３８に基づいて、運転支援装置６の運転必要台数算定機能３２により決定される。また、この決定結果は、ガイダンス通知機能３３および音声通知機能３４により雨水ポンプ２の運転員等に通知されるとともに、雨水ポンプ制御指令出力機能３５によりプロセスコントローラ５へ雨水排出制御信号２７として送られる。
【００４１】
すなわち、図３に示すような運転必要台数基準３８を以下のようにして予め作成しておく。まず、過去のそれぞれの降雨に対応するプロットが、過去の降雨量および過去の降雨強度の最大値に応じてグラフ上に表される。次に、グラフ上の各プロット位置と、各プロットに対応する過去の降雨において実際に運転した雨水ポンプ２の運転必要台数とから、雨水ポンプ２の必要運転台数境界線１５を定めて、推測運転台数領域１６を設けることにより、運転必要台数基準３８が作成される。
【００４２】
運転支援装置６の降雨軌跡作成機能３１は、プロセスコントローラ５からの各信号に基づいて、地上雨量装置４により求められた検出対象の降雨の降雨量、およびプロセスコントローラ５により求められた検出対象の降雨の降雨強度の最大値に対応する検出対象の降雨についての降雨軌跡１７を描く。
【００４３】
運転支援装置６の運転必要台数算定機能３２は、予め作成されている運転必要台数基準３８と、検出対象の降雨の降雨軌跡１７とを照らし合わせることにより雨水ポンプ２の必要運転台数を決定する。
【００４４】
具体的には、図４に示すように、検出対象の降雨の降雨軌跡１７が、運転必要台数基準３８上に描かれることにより、検出対象の降雨に対する雨水ポンプ２の必要運転台数が決定する。この場合、まず、運転支援装置６の運転必要台数算定機能３２は、最後の０．５mmパルスの降雨が確認されてからｎ時間が経過したか否かを判断する（ステップＡ１）。ｎ時間が経過していない場合には、運転必要台数算定機能３２は、降雨軌跡１７が運転必要台数基準３８における必要運転台数境界線１５を横切ったか否かを判断する（ステップＡ２）。降雨軌跡１７が運転必要台数基準３８における必要運転台数境界線１５を横切った場合には、運転必要台数算定機能３２は、降雨軌跡１７の先端位置に対応する推測運転台数領域１６での雨水ポンプ２の必要運転台数を、検出対象の降雨に対する雨水ポンプ２の必要運転台数と判断する。決定された検出対象の降雨に対する雨水ポンプ２の必要運転台数は、運転支援装置６のガイダンス通知機能３３により適当なガイダンス出力が支援画面に表示されたり、音声通知機能３４により音声にされることにより、通知される（ステップＡ３）。他方、運転必要台数算定機能３２が、最後の０．５mmパルスの降雨が確認されてからｎ時間が経過したと判断する場合には、後述するように、検出対象の降雨の降雨データを運転実績保存機能に保存した後、排水ポンプの運転制御を終了する（ステップＡ４）。
【００４５】
検出対象の降雨に対する吐出弁３の開度は、プロセスコントローラ５からの各信号に基づいて運転必要台数算定機能３２により決定される。
【００４６】
また、図２に示すように、決定された検出対象の降雨に対する雨水ポンプ２の必要運転台数および吐出弁３の開度は、運転支援装置６の雨水ポンプ制御指令出力機能３５により、運転支援装置６からプロセスコントローラ５へ雨水排出制御信号２７として送られる。
【００４７】
運転支援装置６における検出対象の降雨の降雨データの保存は、運転支援装置６の運転実績保存機能３６が、検出対象の降雨の終了を判定して、運転支援装置６の降雨軌跡作成機能３１から送られた降雨データを保存することにより行われる。そして、運転実績保存機能３６に保存された降雨データは、運転支援装置６の実績再生機能３７により履歴再生することができる。実績再生機能３７により履歴再生された降雨データは、支援画面に表示等することにより運転員等へ通知することができる。
【００４８】
また運転支援装置６における運転必要台数基準３８の改訂は、図２および図５に示すように、運転実績保存機能３６に記憶される降雨データを運転必要台数基準３８に反映させることにより行われる。
【００４９】
すなわち、図５に示すように、まず、最後の０．５mmパルスの降雨が確認されてから所定時間ｎ時間が経過したか否かを判断する（ステップＢ１）。これにより、検出対象の降雨の終了が判定されることとなる。次に、運転支援装置６は、検出対象の降雨に対応するプロットを、検出対象の降雨の降雨量および検出対象の降雨の降雨強度の最大値に応じて運転必要台数基準３８上に表す（ステップＢ２）。次に、運転支援装置６は、検出対象の降雨において実際に運転した雨水ポンプ２の必要運転台数と、検出対象の降雨に対応するプロットの位置する推測運転台数領域１６での雨水ポンプ２の必要運転台数とを照らし合わせて、必要運転台数境界線１５を変更する必要があるか否かを判断する（ステップＢ３）。運転台数の境界線の変更が必要であると判断される場合には、運転支援装置６は、検出対象の降雨に対応するプロット位置と、推測運転台数領域１６での雨水ポンプ２の必要運転台数と、が適合するように必要運転台数境界線１５を変更して（ステップＢ４）、運転必要台数基準３８を改訂する。このように改訂された運転必要台数基準３８は、運転支援装置６に保存されて（ステップＢ５）、次回からの降雨の際に活用される。このように、降雨の度に運転必要台数基準３８の改訂を行うことにより、より信頼性の高い運転必要台数基準３８を得ることができる。
【００５０】
次に、本実施の形態の一変形例について説明する。
【００５１】
図１に示すように、運転支援装置６に、雨量レーダデータ処理装置８ａを伝送路７を介して接続してもよい。なお、雨量レーダデータ処理装置８ａには、雨量レーダ８ｂから降雨量観測データ２８が送られる。
【００５２】
雨量レーダデータ処理装置８ａは、雨量レーダ８ｂから送られる降雨量観測データ２８に基づいて一定時間先における降雨量および降雨強度の最大値の予測を行う。従って、一定時間先における降雨量および降雨強度の最大値を予測した予測データ２９ａが、雨量レーダデータ処理装置８ａから伝送路７を介して運転支援装置６に送られる。また、運転支援装置６では、雨量レーダデータ処理装置８ａから送られた予測データ２９ａに基づいて、上述した運転支援装置６の各機能の働きにより一定時間先の降雨に対する雨水ポンプ２の必要運転台数および吐出弁３の開度を決定する。このようにして決定された一定時間先の雨水ポンプ２の必要運転台数は、運転支援装置６のガイダンス通知機能３３および音声通知機能３４を介して運転員等へ通知される。また、運転支援装置６において決定された一定時間先の雨水ポンプ２の必要運転台数および吐出弁３の開度は、運転支援装置６の雨水ポンプ制御指令出力機能３５により、運転支援装置６からプロセスコントローラ５へ雨水排出制御信号２７として送られる。これにより、早い段階で、一定時間先の雨水ポンプ２の必要運転台数および吐出弁３の開度を決定することができるとともに、決定した雨水ポンプ２の必要運転台数を運転員等へ通知し、雨水ポンプ２の運転および吐出弁３の開度を制御することができる。
【００５３】
更に、本実施の形態の他の変形例について説明する。
【００５４】
図１に示すように、運転支援装置６に、気象情報が得られる気象情報端末９を伝送路７を介して接続してもよい。
【００５５】
気象情報端末９は、得られる気象情報から一定時間先における降雨量および降雨強度の最大値の予測を行う。従って、一定時間先における降雨量および降雨強度の最大値を予測した予測データ２９ｂが、気象情報端末９から伝送路７を介して運転支援装置６に送られ、運転支援装置６の各機能の働きにより一定時間先の降雨に対する雨水ポンプ２の必要運転台数および吐出弁３の開度を決定することができる。このため、早い段階で、決定した雨水ポンプ２の必要運転台数を運転員等へ通知し、雨水ポンプ２の運転および吐出弁３の開度を制御することができる。
【００５６】
以上説明したように、本実施の形態によれば、過去の降雨データより作成された運転必要台数基準３８に基づいて、検出対象の降雨に対する雨水ポンプ２の運転必要台数の決定が行われるので、信頼性の高い雨水ポンプ２の運転制御を行うことができる。また、雨水ポンプ２の運転必要台数の決定は、降雨量、および降雨強度の最大値に基づいて行われるので、貯水井１への雨水１０の流入量予測や貯水井１内の雨水１０の貯留量予測に基づく場合に比べて、複雑な演算や他の降雨情報の計測を行う必要がなく、雨水ポンプ運転制御システムの簡素化を図ることができる。また、雨水ポンプ運転制御システムの簡素化に伴い、雨水ポンプ運転制御システムを安価に提供することができる。また、雨量レーダ８ｂおよび雨量レーダデータ処理装置８ａ、あるいは気象情報端末９を用いることにより、一定時間先の降雨の降雨量および降雨強度の最大値を求めることができるので、早い段階で、雨水ポンプ２の必要運転台数および吐出弁３の開度の決定を行うことができ、雨水ポンプ２の起動のための十分な準備時間を確保することができる。さらに、雨水１０が地上に降り注いでから貯水井１へ流入するまでの時間は、雨水ポンプ２の起動時間としては十分である。従って、降雨量を求める地上雨量装置４は地上に設置されているので、地上雨量装置４により降雨量を計測した場合も雨水ポンプ２の起動ための準備時間は十分に確保されることとなる。
【００５７】
【発明の効果】
以上説明したように、本発明によれば、過去の雨水ポンプ必要運転台数データに基づいて検出対象の降雨に対する雨水ポンプの必要運転台数を決定するので、信頼性の高い雨水ポンプの運転制御を行うことができる。また、降雨量および降雨強度に基づいて検出対象の降雨に対する雨水ポンプの必要運転台数を決定するので雨水ポンプ運転制御システムの簡素化を図ることができる。
【図面の簡単な説明】
【図１】本発明による雨水ポンプ運転制御システムの構成図。
【図２】本発明による雨水ポンプ運転制御システムの機能ブロック図。
【図３】本発明による運転必要台数基準を示すグラフ。
【図４】本発明による雨水ポンプの必要運転台数の決定方法および必要運転台数の決定結果の通知方法を示す概略フローチャート。
【図５】本発明による降雨データを運転必要台数基準へ反映させる反映方法を示す概略フローチャート。
【符号の説明】
１  貯水井
２  雨水ポンプ
３  吐出弁
４  地上雨量装置
５  プロセスコントローラ
６  運転支援装置
７  伝送路
８ａ  雨量レーダデータ処理装置
８ｂ  雨量レーダ
９  気象情報端末
１０  雨水
１１  流入幹線
１２  流入渠
１３  排出管
１４  流入ゲート
１５  必要運転台数境界線
１６  推測運転台数領域
１７  降雨軌跡
２１  降雨量信号
２２  運用状況信号
２３  雨水ポンプ運転状況信号
２４  吐出弁開度信号
２５  ポンプ制御信号
２６  開度制御信号
２７  雨水排出制御信号
２８  降雨量観測データ
２９ａ  予測データ
２９ｂ  予測データ
３１  降雨軌跡作成機能
３２  運転必要台数算定機能
３３  ガイダンス通知機能
３４  音声通知機能
３５  雨水ポンプ制御指令出力機能
３６  運転実績保存機能
３７  実績再生機能
３８  運転必要台数基準
【図１】
0003990870.tif 000002
【図２】
0003990870.tif 000003
【図３】
0003990870.tif 000004
【図４】
0003990870.tif 000005
【図５】
0003990870.tif 000006